(57)【要約】【課題】本発明は、シューズを容易に脱着することが可能であり、かつ、スライドアジャスタの目立たないシューズを提供することを目的とするものである。【解決手段】本発明のシューズは、アッパーの上部に緊締ベルトが設けられ、該緊締ベルトがソールでスライドアジャスタに結合されたシューズにおいて、該スライドアジャスタはバンドとバックルからなり、該バックルの操作片の揺動を制御する制御片が該操作片の近傍を移動可能であり、前記バンドが前記緊締ベルトに結合され、前記バックルが前記ソールに固定されると共に、前記制御片の移動をロープによる牽引動作により行うことを特徴とする。【選択図】図２
2014236793.tif 000002
【特許請求の範囲】
【請求項１】
アッパーの上部に緊締ベルトが設けられ、該緊締ベルトがソールでスライドアジャスタに結合されたシューズにおいて、
該スライドアジャスタはバンドとバックルからなり、バンドに形成した鋸歯状の係合溝にバックルの係合爪を係合可能とし、該バックルは、内部をバンドの挿通空間としたバックル本体と、一端部に前記バンドの係合溝に係合可能な係合爪を有する操作片とから構成され、該操作片は中間点にて連結軸で支承することにより該中間点を支点として揺動自在とされ、前記操作片の揺動を制御する制御片を前記バックル本体に設け、前記制御片は前記操作片の近傍を移動可能であり、前記制御片を移動することにより前記バンドとバックルの係合を解除することが可能とされてなり、
前記バンドが前記緊締ベルトに結合され、前記バックルが前記ソールに固定されると共に、前記制御片の移動をロープによる牽引動作により行うことを特徴とするシューズ。
【請求項２】
前記制御片を移動することにより前記バンドとバックルの係合をロックすることのできる請求項１記載のシューズ。
【請求項３】
前記バックルを前記ソールの内部に設けた請求項１または２記載のシューズ。
【請求項４】
前記ロープを前記ソールの内部に設けた請求項１〜３のいずれかに記載のシューズ。      
【発明の詳細な説明】
【技術分野】
【０００１】
この発明は、スライドアジャスタを備えたシューズに関し、詳細には、簡単にサイズ調整をすることができることに加えて、スライドアジャスタの目立たないシューズ関するものである。
【背景技術】
【０００２】
従来、紐、面ファスナーのほか、スライドファスナー等を用いたシューズが知られている。
紐によるものは、シューズのアッパーに複数の開口を設けて該開口に紐を通し、シューズを履く際は紐を緩めた上で足をシューズ内部に挿入した後、前記紐を緊締することによりシューズを足にフィットさせる。
紐を使用すれば、履く者が自分の好みのフィット感で緊締具合を決めることができるが、シューズを履いているうちに紐が緩んだり解けたりするので、紐を締め直す行為が度々必要になることがあった。また、紐を締める行為自体も煩雑である。
【０００３】
面ファスナーによるものは、アッパー上部の適宜位置に面ファスナーを設け、シューズを履く際は面ファスナーをアッパーから分離した状態で足をシューズ内部に挿入した後、前記面ファスナーを接合することによりシューズを足にフィットさせる。
面ファスナーを使用すれば、紐を使用した場合に比べてシューズの脱ぎ履きが容易であるが、サイズの微調整が困難であり、外観上も紐を使用した場合と比較して体裁が悪いという問題があった。
【０００４】
一方、シューズの一部をゴム製とすることによって、シューズを足にフィットさせることも行われている。シューズの一部をゴム製とすると、吸汗性、速乾性、防臭性等の機能を損なう虞がある。また、ゴムの接合強度は経年変化が大きく、低下する可能性がある。
【０００５】
上記に掲げた問題の他、従来の紐、面ファスナー、スライドファスナーを用いたシューズは何れもサイズ調整機構がアッパー上部に現れることにより（特許文献１参照）、デザインの自由度が制限される。
【先行技術文献】
【特許文献】
【０００６】
【特許文献１】特許第３６８３８８１号公報
【発明の概要】
【発明が解決しようとする課題】
【０００７】
本発明は、シューズを容易に脱着することが可能であり、かつ、スライドアジャスタの目立たないシューズを提供することを目的とするものである。
【課題を解決するための手段】
【０００８】
本発明のシューズは、アッパーの上部に緊締ベルトが設けられ、該緊締ベルトがソールでスライドアジャスタに結合されたシューズにおいて、該スライドアジャスタはバンドとバックルからなり、バンドに形成した鋸歯状の係合溝にバックルの係合爪を係合可能とし、該バックルは、内部をバンドの挿通空間としたバックル本体と、一端部に前記バンドの係合溝に係合可能な係合爪を有する操作片とから構成され、該操作片は中間点にて連結軸で支承することにより該中間点を支点として揺動自在とされ、前記操作片の揺動を制御する制御片を前記バックル本体に設け、前記制御片は前記操作片の近傍を移動可能であり、前記制御片を移動することにより前記バンドとバックルの係合を解除することが可能とされてなり、前記バンドが前記緊締ベルトに結合され、前記バックルが前記ソールに固定されると共に、前記制御片の移動をロープによる牽引動作により行うことを特徴とする。
【０００９】
前記制御片を移動することにより前記バンドとバックルの係合をロックできることが好ましい。
【００１０】
前記バックルを前記ソールの内部に設けたことが好ましい。    
【発明の効果】
【００１１】
本発明のシューズでは、スライドアジャスタをソールに設けたためスライドアジャスタが目立たず、シューズのデザインの自由度が極めて高い。また、緊締ベルトをバックル側に押し込むだけでシューズに足をフィットさせることができると共に、ロープの牽引動作のみで緊締ベルトを緩めることができるため、シューズの脱着が極めて容易である。
【図面の簡単な説明】
【００１２】
【図１】本発明のシューズの斜視図である。
【図２】図１のシューズについて、ソール内部を透視して描いた底面図である。
【図３】スライドアジャスタの斜視図である。
【図４】図３のスライドアジャスタをバンドと並行な水平面で切断した平面図である。
【発明を実施するための形態】
【００１３】
以下、本発明に係るスライドアジャスタを備えたシューズの実施形態を図面に基づいて説明する。
図１はシューズ２の斜視図であり、これらの図において、シューズ２は、ソール３、ソール３に立設されるアッパー４、およびアッパーの上部に設けられた緊締ベルト５とからなるシューズ本体６により主体が構成される。前記緊締ベルト５は図２に示す通りソール３の内部でスライドアジャスタ８に結合されている。
【００１４】
ソール３に設けられるスライドアジャスタ８については図３および図４を用いて後述するように、バックル２０とバンド１０とからなり、バックル２０はソール３の内部に固定され、バンド１０は前記緊締ベルト５に結合される。バックル２０は必ずしもソール３に内蔵しなくても良いが、ソール３に内蔵することによりシューズ２全体の外観の体裁が良くなると共に、バックル２０が砂噛み等により誤作動を起こしたり破損したりすることを防止できる。
【００１５】
次に図３および図４を用いてスライドアジャスタ８を説明する。
図３および図４にはバンド１０とバックル２０からなるスライドアジャスタ８が示されており、図３はその斜視図、図４は図３のスライドアジャスタをバンドと平行な水平面で切断した平面図である。
【００１６】
これらの図において、所要の長さ、幅、厚みを有するバンドの縁部には、先端（バック
ルに近い部分）から末端に向けて鋸歯状の係合溝が形成されている。バンド１０の長さ、幅および厚については、シューズ２のサイズや種類等により適宜決定される。
【００１７】
バックル２０は、底板２１、これに対向する天板２２、および底板２１と天板２２とを
接続する側板２３、２３とからなる偏平かつ筒状のバックル本体２４により主体が構成さ
れている。バックル本体２４はバンド１０のスライド方向が挿通口として開口され、その
内部はバンド１０の挿通空間２６となる。
【００１８】
バックル本体２４の内側には、その内に納まる大きさの操作片３０が設置される。操作
片３０の一端部には、バンド１０の係合溝１２に係合可能な係合爪３１を突設している。
【００１９】
操作片３０の長手方向の中間部には、連結軸３５が形成され、この連結軸３５は底板２
１および天板２２に支承されている。その結果、操作片３０は該中間部を支点として揺動自在とされる。
【００２０】
バックル本体２４には、操作片３０の揺動を制御する制御片４０が設置される。制御片４０は操作片３０の近傍をバンドの進退方向にスライド移動する。
制御片４０の形状に格別の制限はなく、後記するように操作片２０の揺動を制御する機能を果たすものであれば良い。
【００２１】
制御片４０の一端部の先端外表面には、接続片５１Ａを介してロープ５２Ａが緊締されると共に、制御片４０の他端部においても、その先端外表面には、接続片５１Ｂを介してロープ５２Ｂが緊締されている。接続片５１Ａ、５１Ｂは制御片４０の一部とロープ５２Ａ、５２Ｂとを緊締することができれば、どのような形状、形態であっても良く、例えば、制御片４０に穿設した孔としても良い。
【００２２】
ロープ５２Ａ、５２Ｂは、制御片４０端部の牽引に支障のない素材、太さのものとし、テープ、ベルト、紐を含む。特に、ナイロン、ポリエチレン等、合成樹脂製のものが好ましい。
【００２３】
ロープ５２Ａ、５２Ｂの他端には、撮み５３Ａ、５３Ｂが設けられている。撮み５３Ａ、５３Ｂの形状には格別の制限はなく、指先に掛けてロープ５２Ａ、５２Ｂを牽引することができれば良く、図示したリング状の他、球状、小片状とすることができる。
本発明において撮み５３Ａ、５３Ｂは必須の構成部材ではなく、例えば、ロープ５２Ａ、５２Ｂの他端をねじに巻き付けて牽引可能としても良い。
【００２４】
続いて、上記スライドアジャスタの作用を説明する。図４（１）は、バックル２０の挿
通空間２６内にバンド１０が挿入され、バンド１０の縁部に沿って形成された係合溝１２
に、バックル２０の係合爪３１が係合した状態を示している。係合溝１２はスライド方向
の断面形状が鋸歯状、即ち、バンド１０の進行方向に向けて漸次深くなるテーパ面と、こ
の最深位置より略垂直に立上る壁面とからなっている。  
【００２５】
本実施形態では、バンド１０の厚方向に係合溝１２を中途まで切欠いたが、当該切欠きをバンド１０の厚方向に完全に切欠くことも可能である。
さらに、バンド１０の厚方向における中間部に係合溝を設けること、即ち、前記鋸歯状の係合溝をバンド内部に後退させて形成し、バンド１０の縁部を直線状とすることも可能である。
【００２６】
図４（１）において、バンド１０をバックル２０の左側の挿通口から挿通空間２６内に進入させていくと、バンド１０の縁部が操作片３０の係合爪３１に接触して、操作片３０の一端部を押し上げながら前進し、バックル２０に対するバンド１０の接近・離隔位置が調節される。この状態では、係合爪３１が所定の係合溝１２と噛み合って係止しているので、バンド１０はバックル２０に対して進出自在であるが、後退不能である。
【００２７】
本発明において、スライドアジャスタ８は上記の構造を有するものに限らず、バンドに係合溝を設け、この溝にバックルの係合爪を係合し、バンドとバックルの係止状態においてバンドはバックルに接近自在であるが後退不能とされたスライドアジャスタであれば、いずれの構造のものでも良い。  
【００２８】
次に、図１に示すシューズのサイズ調整方法を説明する。
シューズ２のサイズを調整するには、ソール３に足を付けた状態において緊締ベルト５をバックル２０側に押し込んでスライドアジャスタ８のバンド１０をバックル２０の挿通口に進入させれば良い。
【００２９】
この操作によって、シューズ２のサイズを小さく調整することができるが、バンド１０（緊締ベルト５）とバックル２０を引き離そうとしても、スライドアジャスタ８の作用によりシューズ２のサイズが大きくなることはない。
【００３０】
図２において、ロープ５２Ａ、５２Ｂが、ソール３の内部に円周方向に設けた止具６０、６０・・・に沿って巡らされ、ロープ５２Ａの自由端とロープ５２Ｂの自由端とがシューズの踵部の一か所に纏められ、撮み５３ＡＢが設けられていることが示されている。ロープ６０の経路や端部の格納方法について格別の制限はなく、シューズ２全体の外観や操作性を考慮して適宜決定される。例えば、図１において、撮み５３ＡＢを踵部ではなく、甲部に位置させても良い。
【００３１】
シューズ２のサイズを大きくする場合には、撮み５３ＡＢを図２において右方向に移動すれば、ロープ５２Ｂが踵方向に引っ張られることにより、制御片４０が操作片３０の他端部３２側にスライドし、図４（２）に示すように、連結軸３５を中心として操作片３０が回転する結果、反対側に位置するする係合爪３１が持ち上がり、係合爪３１が係合溝１２から外れるので、バンド１０を自由にスライドさせることができる。撮み５３ＡＢを元の位置に移動させると、制御片４０は元の位置に戻り、これに伴い操作片３０は元の状態に復帰する（図４（１）参照。）。
【００３２】
また、撮み５３ＡＢを図２において左方向に移動させると、ロープ５２Ａが踵方向に引っ張られる結果、制御片４０が操作片３０の係合爪３１側にスライドし、図４（３）に示すように制御片４０により係合爪３１が係合溝１２から外れない程度に押さえ付けられることにより、バンド１０とバックル２０の係合がロックされる。本ロック機構は必須の構成ではないが、スポーツ用シューズ等の高い強度が要求されるシューズにおいては、ロック機構を備えることが好ましい。
【００３３】
本発明のシューズでは、スライドアジャスタ８をソール３に設けたためスライドアジャスタ８が目立たず、シューズ２のデザインの自由度が極めて高い。また、緊締ベルト５をバックル２０側に押し込むだけでシューズ２に足をフィットさせることができると共に、ロープの牽引動作のみで緊締ベルト５を緩めることができるため、シューズの脱着が極めて容易である。  
【００３４】
以上、スライドアジャタを備えたシューズに係る実施形態について説明したが、シューズについては、ランニングシューズ、サッカーシューズ等のスポーツ用シューズの他、スニーカーや安全靴など、幅広く適用することができる。
【符号の説明】
【００３５】
２      シューズ
３      ソール
４      アッパー
５      緊締ベルト
６      シューズ本体
８      スライドアジャスタ
１０    バンド
２０    バックル
３０    操作片
４０    制御片
５２    ロープ
【図１】
2014236793.tif 000003
【図２】
2014236793.tif 000004
【図３】
2014236793.tif 000005
【図４】
2014236793.tif 000006